(57)【特許請求の範囲】
【請求項１】
得るべき大開口部の横幅の間隔をおいて配置せられかつ大開口部の高さを有する左右の足場と、両足場に渡し止められた上足場と、上足場の下前後に取付けられた一対の梁枠と、両梁枠の左右両側部のうちいずれか一側部の側方に配置せられかつ上足場の下端前後に上内端が取付けられるともに左右足場のうち一方の足場の上端内側部に外側部が連結せられた持送り枠とよりなる大開口部付き足場装置。
【請求項２】
得るべき大開口部の横幅の間隔をおいて配置せられかつ大開口部の高さを有する左右の足場と、両足場に渡し止められた上足場と、上足場の中央の下前後に取付けられた一対の梁枠と、両梁枠の左右両側部のそれぞれ側方に配置せられかつ上足場の下端前後に上内端が取付けられるともに左右足場の上端内側部にそれぞれ外側部が連結せられた持送り枠とよりなる大開口部付き足場装置。
【請求項３】
得るべき大開口部の横幅の間隔をおいて配置せられかつ大開口部の高さを有する左右の足場と、両足場に渡し止められた上足場と、上足場の下前後に取付けられた一対の梁枠と、両梁枠の左右両側部のうちいずれか一側部の側方に配置せられかつ上足場の下端前後に上内端が取付けられるともに左右足場のうち一方の足場の上端に設けられた内方張出し部の内側部に外側部が連結せられた上部持送り枠と、上部持送り枠それぞれの斜め外下に配置せられるともに上部持送り枠が連結せられている足場の内側部に外側部が連結せられた下部持送り枠とよりなる大開口部付き足場装置。
【請求項４】
得るべき大開口部の横幅の間隔をおいて配置せられかつ大開口部の高さを有する左右の足場と、両足場に渡し止められた上足場と、上足場の下前後に取付けられた一対の梁枠と、両梁枠の左右両側部のそれぞれ側方に配置せられかつ上足場の下端前後に上内端が取付けられるともに左右足場の上端に設けられた内方張出し部の内側部に外側部が連結せられた上部持送り枠と、上部持送り枠それぞれの斜め外下に配置せられるともに上部持送り枠が連結せられている足場の内側部に外側部が連結せられた下部持送り枠とよりなる大開口部付き足場装置。
【請求項５】
得るべき大開口部の横幅の間隔をおいて配置せられかつ大開口部の高さを有する左右の足場と、両足場に渡し止められた上足場と、上足場の下前後に取付けられた一対の梁枠と、両梁枠の左右両側部のうちいずれか一側部の側方に配置せられかつ上足場の下端前後に上内端が取付けられるともに左右足場のうち一方の足場の上端に設けられた内方大張出し部の内側部に外側部が連結せられた上部持送り枠と、上部持送り枠の斜め外下に配置せられるともに内方大張出し部の下の内方小張出し部の内側部に外側部が連結せられた中間持送り枠と、両張出し部を有する足場の内側部に外側部が連結せられた下部持送り枠とよりなる大開口部付き足場装置。    
【請求項６】
得るべき大開口部の横幅の間隔をおいて配置せられかつ大開口部の高さを有する左右の足場と、両足場に渡し止められた上足場と、上足場の下前後に取付けられた一対の梁枠と、両梁枠の左右両側部のそれぞれ側方に配置せられかつ上足場の下端前後に上内端が取付けられるともに左右足場の上端に設けられた内方大張出し部の内側部に外側部が連結せられた上部持送り枠と、上部持送り枠の斜め外下に配置せられるともに内方大張出し部の下の内方小張出し部の内側部に外側部が連結せられた中間持送り枠と、両張出し部を有する足場の内側部に外側部が連結せられた下部持送り枠とよりなる大開口部付き足場装置。
【請求項７】
得るべき大開口部の横幅の間隔をおいて配置せられかつ大開口部の高さを有する左右の足場と、両足場に渡し止められた上足場と、上足場の下前後に取付けられた一対の布材と、両布材の左右両側部のそれぞれ側方に配置せられかつ上足場の下端前後に上内端が取付けられるともに左右足場の上端に設けられた内方大張出し部の内側部に外側部が連結せられた上部持送り枠と、上部持送り枠の斜め外下に配置せられるともに内方大張出し部の下の内方中張出し部の内側部に外側部が連結せられた中間上部持送り枠と、中間上部持送り枠の斜め外下に配置せられるともに内方小張出し部の内側部に外側部が連結せられている中間下部持送り枠と、３つの張出し部が連結せられている足場の内側部に外側部が連結せられた下部持送り枠とよりなる大開口部付き足場装置。
【請求項８】
得るべき大開口部の横幅の間隔をおいて配置せられかつ大開口部の高さを有する左右の足場と、両足場に渡し止められた上足場と、上足場の中央下端前後に上内端が取付けられるともに左右足場の上端に設けられた内方大張出し部の内側部に外側部が連結せられた上部持送り枠と、上部持送り枠の斜め外下に配置せられるともに内方大張出し部の下の内方中張出し部の内側部に外側部が連結せられた中間上部持送り枠と、中間上部持送り枠の斜め外下に配置せられるともに内方中張出し部の下の内方中張出し部の内側部に外側部が連結せられた中間下部持送り枠と、中間下部持送り枠の斜め外下に配置せられるともに３つの張出し部を有する足場の内側部に外側部が連結せられた下部持送り枠とよりなる大開口部付き足場装置。
【発明の詳細な説明】
【技術分野】
【０００１】
本発明は、車両等が通過し得る大開口部付き足場装置に関する。
【背景技術】
【０００２】
本願出願人が先に提案した足場装置が、下記特許文献１に開示されている。
【０００３】
建築現場において、建築内部の工事と建築外部の工事とは同時に進行する。
建築外部工事には、足場装置が必要である。建築内部工事のために、コンクリートミキサー車等の建築内部工事用車両が、足場装置の内外に出入りする必要がある。そのために、足場装置には、大開口部が必要である。また、マンションの改修工事に際しても、足場装置が必要であるが、マンションに駐車場の出入り口があるため、足場装置に大開口部が必要となる。また、ビル改修工事のさいも足場装置が必要であるが、ビルの１階に店舗がある場合、店舗入り口やショーウインドウのある部分には、足場装置に大開口部が必要となる。
【先行技術文献】
【特許文献】
【０００４】
【特許文献１】特許第５６７７６１６号公報
【発明の概要】
【発明が解決しようとする課題】
【０００５】
足場装置に上記大開口部を確保するため、従来開口部の縁に重量鉄骨を配していた。この重量鉄骨を取り扱うためには、クレーン等が必要になる。
【０００６】
本発明の目的は、上記のように、開口部の縁に重量鉄骨を配することなく、したがって、重量鉄骨を取り扱うためのクレーン等を必要とすることのない丈夫な大開口部を有する足場装置を提供することにある。
【課題を解決するための手段】
【０００７】
請求項１の発明による大開口部付き足場装置は、得るべき大開口部の横幅の間隔をおいて配置せられかつ大開口部の高さを有する左右の足場と、両足場に渡し止められた上足場と、上足場の下前後に取付けられた一対の梁枠と、両梁枠の左右両側部のうちいずれか一側部の側方に配置せられかつ上足場の下端前後に上内端が取付けられるともに左右足場のうち一方の足場の上端内側部に外側部が連結せられた持送り枠とよりなるものである。
【０００８】
請求項２の発明による大開口部付き足場装置は、得るべき大開口部の横幅の間隔をおいて配置せられかつ大開口部の高さを有する左右の足場と、両足場に渡し止められた上足場と、上足場の下前後に取付けられた一対の梁枠と、両梁枠の左右両側部のそれぞれ側方に配置せられかつ上足場の下端前後に上内端が取付けられるともに左右足場の上端内側部にそれぞれ外側部が連結せられた持送り枠とよりなるものである。
【０００９】
請求項３の発明による大開口部付き足場装置は、得るべき大開口部の横幅の間隔をおいて配置せられかつ大開口部の高さを有する左右の足場と、両足場に渡し止められた上足場と、上足場の下前後に取付けられた一対の梁枠と、両梁枠の左右両側部のうちいずれか一側部の側方に配置せられかつ上足場の下端前後に上内端が取付けられるともに左右足場のうち一方の足場の上端に設けられた内方張出し部の内側部に外側部が連結せられた上部持送り枠と、上部持送り枠の斜め外下に配置せられるともに上部持送り枠が連結せられた内方張出し部を有する足場の内側部に外側部が連結せられた下部持送り枠とよりなるものである。
【００１０】
請求項４の発明による大開口部付き足場装置は、得るべき大開口部の横幅の間隔をおいて配置せられかつ大開口部の高さを有する左右の足場と、両足場に渡し止められた上足場と、上足場の下前後に取付けられた一対の梁枠と、両梁枠の左右両側部のそれぞれ側方に配置せられかつ上足場の下端前後に上内端が取付けられるともに左右足場の上端に設けられた内方張出し部の内側部に外側部が連結せられた上部持送り枠と、上部持送り枠それぞれの斜め外下に配置せられるともに上部持送り枠が連結せられた内方張出し部を有する足場の内側部に外側部が連結せられた下部持送り枠とよりなるものである。
【００１１】
請求項５の発明による大開口部付き足場装置は、得るべき大開口部の横幅の間隔をおいて配置せられかつ大開口部の高さを有する左右の足場と、両足場に渡し止められた上足場と、上足場の下前後に両足場の一方寄りに取付けられた一対の梁枠と、両梁枠の足場から離れている側の側方に配置せられかつ上足場の下端前後に上内端が取付けられるともに両梁枠から離れている側の足場の上端に設けられた内方大張出し部の内側部に外側部が連結せられた上部持送り枠と、上部持送り枠の斜め外下に配置せられるともに内方大張出し部の下の内方小張出し部の内側部に外側部が連結せられた中間持送り枠と、中間持送り枠の斜め外下に配置せられるともに両張出し部を有する足場の内側部に外側部が連結せられた下部持送り枠とよりなるものである。       
【００１２】
請求項６の発明による大開口部付き足場装置は、得るべき大開口部の横幅の間隔をおいて配置せられかつ大開口部の高さを有する左右の足場と、両足場に渡し止められた上足場と、上足場の下前後に取付けられた一対の梁枠と、両梁枠の左右両側部のそれぞれ側方に配置せられかつ上足場の下端前後に上内端が取付けられるともに左右足場の上端に設けられた内方大張出し部の内側部に外側部が連結せられた上部持送り枠と、上部持送り枠の斜め外下に配置せられるともに内方大張出し部の下の内方小張出し部の内側部に外側部が連結せられた中間持送り枠と、中間持送り枠の斜め外下に配置せられるともに両張出し部を有する足場の内側部に外側部が連結せられた下部持送り枠とよりなるものである。
【００１３】
請求項７の発明による大開口部付き足場装置は、得るべき大開口部の横幅の間隔をおいて配置せられかつ大開口部の高さを有する左右の足場と、両足場に渡し止められた上足場と、上足場の下前後に取付けられた一対の布材と、両布材の左右両側部のそれぞれ側方に配置せられかつ上足場の下端前後に上内端が取付けられるともに左右足場の上端に設けられた内方大張出し部の内側部に外側部が連結せられた上部持送り枠と、上部持送り枠の斜め外下に配置せられるともに内方大張出し部の下の内方中張出し部の内側部に外側部が連結せられた中間上部持送り枠と、中間上部持送り枠の斜め下に配置せられるとともに内方小張出し部の内側に外側部が連結せられた中間下部持送り枠と、３つの張出し部が連結せられている足場の内側部に外側部が連結せられた下部持送り枠とよりなるものである。
【００１４】
請求項８の発明による大開口部付き足場装置は、得るべき大開口部の横幅の間隔をおいて配置せられかつ大開口部の高さを有する左右の足場と、両足場に渡し止められた上足場と、上足場の中央下端前後に上内端が取付けられるともに左右足場の上端に設けられた内方大張出し部の内側部に外側部が連結せられた上部持送り枠と、上部持送り枠の斜め外下に配置せられるともに内方大張出し部の下の内方中張出し部の内側部に外側部が連結せられた中間上部持送り枠と、中間上部持送り枠の斜め外下に配置せられるともに内方中張出し部の下の内方中張出し部の内側部に外側部が連結せられた中間下部持送り枠と、中間下部持送り枠の斜め外下に配置せられるともに３つの張出し部を有する足場の内側部に外側部が連結せられた下部持送り枠とよりなるものである。     
【発明の効果】
【００１５】
請求項１の発明による大開口部付き足場装置は、得るべき大開口部の横幅の間隔をおいて配置せられかつ大開口部の高さを有する左右の足場と、両足場に渡し止められた上足場と、上足場の下前後に取付けられた一対の梁枠と、両梁枠の左右両側部のうちいずれか一側部の側方に配置せられかつ上足場の下端前後に上内端が取付けられるともに左右足場のうち一方の足場の上端内側部に外側部が連結せられた持送り枠とよりなるものであるから、開口部の縁に重量鉄骨を配したものに匹敵する丈夫な大開口部を有するものである。したがって、足場装置に大開口部を形成するのに、クレーン等は必要ではなく、作業者による通常の作業で可能となる。
【００１６】
請求項２の発明による大開口部付き足場装置は、得るべき大開口部の横幅の間隔をおいて配置せられかつ大開口部の高さを有する左右の足場と、両足場に渡し止められた上足場と、上足場の下前後に取付けられた一対の梁枠と、両梁枠の左右両側部のそれぞれ側方に配置せられかつ上足場の下端前後に上内端が取付けられるともに左右足場の上端内側部にそれぞれ外側部が連結せられた持送り枠とよりなるものであるから、開口部の縁に重量鉄骨を配したものに匹敵する丈夫な大開口部を有するものである。したがって、足場装置に大開口部を形成するのに、クレーン等は必要ではなく、作業者による通常の作業で可能となる。
【００１７】
請求項３の発明による大開口部付き足場装置は、得るべき大開口部の横幅の間隔をおいて配置せられかつ大開口部の高さを有する左右の足場と、両足場に渡し止められた上足場と、上足場の下前後に取付けられた一対の梁枠と、両梁枠の左右両側部のうちいずれか一側部の側方に配置せられかつ上足場の下端前後に上内端が取付けられるともに左右足場のうち一方の足場の上端に設けられた内方張出し部の内側部に外側部が連結せられた上部持送り枠と、上部持送り枠の斜め外下に配置せられるともに上部持送り枠が連結せられている足場の内側部に外側部が連結せられた下部持送り枠とよりなるものであるから、開口部の縁に重量鉄骨を配したものに匹敵する丈夫な大開口部を有するものである。したがって、足場装置に大開口部を形成するのに、クレーン等は必要ではなく、作業者による通常の作業で可能となる。
【００１８】
請求項４の発明による大開口部付き足場装置は、得るべき大開口部の横幅の間隔をおいて配置せられかつ大開口部の高さを有する左右の足場と、両足場に渡し止められた上足場と、上足場の下前後に取付けられた一対の梁枠と、両梁枠の左右両側部のそれぞれ側方に配置せられかつ上足場の下端前後に上内端が取付けられるともに左右足場の上端に設けられた内方張出し部の内側部に外側部が連結せられた上部持送り枠と、上部持送り枠それぞれの斜め外下に配置せられるともに上部持送り枠が連結せられている足場の内側部に外側部が連結せられた下部持送り枠とよりなるものであるから、開口部の縁に重量鉄骨を配したものに匹敵する丈夫な大開口部を有するものである。したがって、足場装置に大開口部を形成するのに、クレーン等は必要ではなく、作業者による通常の作業で可能となる。
【００１９】
請求項５の発明による大開口部付き足場装置は、得るべき大開口部の横幅の間隔をおいて配置せられかつ大開口部の高さを有する左右の足場と、両足場に渡し止められた上足場と、上足場の下前後に取付けられた一対の梁枠と、両梁枠の足場から離れている側の側方に配置せられかつ上足場の下端前後に上内端が取付けられるともに左右足場のうち一方の足場の上端に設けられた内方大張出し部の内側部に外側部が連結せられた上部持送り枠と、上部持送り枠の斜め外下に配置せられるともに内方大張出し部の下の内方小張出し部の内側部に外側部が連結せられた中間持送り枠と、両内方大張出し部を有する足場の内側部に外側部が連結せられた下部持送り枠とよりなるものであるから、開口部の縁に重量鉄骨を配したものに匹敵する丈夫な大開口部を有するものである。したがって、足場装置に大開口部を形成するのに、クレーン等は必要ではなく、作業者による通常の作業で可能となる。
【００２０】
請求項６の発明による大開口部付き足場装置は、得るべき大開口部の横幅の間隔をおいて配置せられかつ大開口部の高さを有する左右の足場と、両足場に渡し止められた上足場と、上足場の下前後に取付けられた一対の梁枠と、梁枠の左右両側部のそれぞれ側方に配置せられた上部持送り枠と、上部持送り枠それぞれの斜め外下に配置せられた中間部持送り枠と、中間部持送り枠それぞれのさらに斜め外下に配置せられた下部持送り枠と、上部持送り枠の外側部と内側部が連結せられ、中間部持送り枠の天上部が底部と連結せられている上部持送り枠の外側部と、内側部が連結せられるとともに下部持送り枠の天上部が底部と連結せられている上内方張出し部を有する左右の足場とよりなり、左右の足場が大開口部の横幅の間隔をおいて配置せられているものであるから、開口部の縁に重量鉄骨を配したものに匹敵する丈夫な大開口部を有するものである。したがって、足場装置に大開口部を形成するのに、クレーン等は必要ではなく、作業者による通常の作業で可能となる。
【００２１】
請求項７の発明による大開口部付き足場装置は、得るべき大開口部の横幅の間隔をおいて配置せられかつ大開口部の高さを有する左右の足場と、両足場に渡し止められた上足場と、上足場の下前後に取付けられた一対の布材と、両布材の左右両側部のそれぞれ側方に配置せられかつ上足場の下端前後に上内端が取付けられるともに両足場の上端に設けられた内方大張出し部の内側部に外側部が連結せられた上部持送り枠と、上部持送り枠の斜め外下に配置せられるともに内方大張出し部の下の内方中張出し部の内側部に外側部が連結せられた中間上部持送り枠と、中間上部持送り枠の斜め下に配置せられるとともに内方小張出し部の内側に外側部が連結せられた中間下部持送り枠と、３つの張出し部が連結せられている足場の内側部に外側部が連結せられた下部持送り枠とよりなるものであるから、開口部の縁に重量鉄骨を配したものに匹敵する丈夫な大開口部を有するものである。したがって、足場装置に大開口部を形成するのに、クレーン等は必要ではなく、作業者による通常の作業で可能となる。
【００２２】
請求項８の発明による大開口部付き足場装置は、得るべき大開口部の横幅の間隔をおいて配置せられかつ大開口部の高さを有する左右の足場と、両足場に渡し止められた上足場と、上足場の中央下端前後に上内端が取付けられるともに左右足場の上端に設けられた内方大張出し部の内側部に外側部が連結せられた上部持送り枠と、上部持送り枠の斜め外下に配置せられるともに内方大張出し部の下の内方中張出し部の内側部に外側部が連結せられた中間上部持送り枠と、中間上部持送り枠の斜め外下に配置せられるともに内方中張出し部の下の内方中張出し部の内側部に外側部が連結せられた中間下部持送り枠と、中間下部持送り枠の斜め外下に配置せられるともに３つの張出し部を有する足場の内側部に外側部が連結せられた下部持送り枠とよりなるものであるから、開口部の縁に重量鉄骨を配したものに匹敵する丈夫な大開口部を有するものである。したがって、足場装置に大開口部を形成するのに、クレーン等は必要ではなく、作業者による通常の作業で可能となる。
【図面の簡単な説明】
【００２３】
【図１】請求項４の発明による大開口部付き足場装置の斜視図である。
【図２】左持送り枠の拡大正面図である。
【図３】左持送り枠の拡大平面図である。
【図４】請求項１の発明による大開口部付き足場装置の正面略図である。
【図５】請求項２の発明による大開口部付き足場装置の正面略図である。
【図６】請求項３の発明による大開口部付き足場装置の正面略図である。
【図７】請求項４の発明による大開口部付き足場装置の正面略図である。
【図８】請求項５の発明による大開口部付き足場装置の正面略図である。
【図９】請求項６の発明による大開口部付き足場装置の正面略図である。
【図１０】請求項７の発明による大開口部付き足場装置の正面略図である。
【図１１】請求項８の発明による大開口部付き足場装置の正面略図である。
【発明を実施するための形態】
【００２４】
図１ないし図３には、請求項４の発明による大開口部付き足場装置が示されており、これは、得るべき大開口部（１）の横幅の間隔をおいて配置せられかつ大開口部（１）の高さを有する左右の足場（２）（３）と、両足場（２）（３）に渡し止められた上足場（４）と、上足場（４）に取付けられた一対の梁枠（５）と、両梁枠（５）の左右両側部のそれぞれ側方に配置せられかつ上足場（４）の下端前後に上内端が取付けられるともに左右足場（２）（３）の上端に設けられた内方張出し部（６）の内側部に外側部が連結せられた上部持送り枠（７）と、上部持送り枠（７）それぞれの斜め外下に配置せられるともに上部持送り枠（７）が連結せられている足場（２）（３）の内側部に外側部が連結せられた下部持送り枠（８）とよりなるものである。
【００２５】
上部持送り枠（７）および下部持送り枠（８）は、図２に明らかなように、上部三方に受け金具（３６）を有するとともに、連結用上端突出部（３７）を有する垂直短管（３８）を内端に備え、外端にくさび付くさび案内部材（３９）を有する水平管（４０）と、垂直短管（３８）から外方斜め下に伸びかつ下端に差込み金具（４１）を有する斜め管（４２）と、水平管（４０）の外端近くと斜め管（４２）の外端近くの間に渡された垂直管（４３）と、斜め管（４２）の中程と垂直管（４３）の上端近くの間に斜めに渡された補強管（４４）とよりなる。
【００２６】
左右の足場（２）（３）は、方形の四隅に該当する部分に４本の支柱（１８）を有する。内側の２本の支柱（１８）は、充分な荷重強度を確保するため、適宜補強することがある。左右の足場（２）（３）の前後には、内方張出し部（６）の上端と下端に対応する箇所に上桟（１９）と中桟（２０）が設けられ、左右の足場（２）（３）の下部の前後左右には、下桟（２１）が設けられている。さらに、上桟（１９）と中桟（２０）のそれぞれ若干下方および下桟（２１）の上方に、両端が下方に折れ曲がった桟（２２）が設けられている。さらに、これらの桟（２２）のそれぞれ下にX状の交叉材（２３）が設けられている。内方張出し部（６）の上端にも前記左右の足場（２）（３）の上桟（１９）と対応する箇所に上桟（２４）が設けけられるとともに、その下に両端が下方に折れ曲った桟（２５）およびX状の交叉材（２６）が設けられている。左右の足場（２）（３）から内方張出し部（６）にかけてX状の交叉材（２３）（２６）の下端に対応する高さに作業床（２７）が配置せられるとともに、左右の足場（２）（３）の中間のX状の交叉材（２３）の下にも作業床（２８）が配置せられている。
【００２７】
上部持送り枠（７）を左右の足場（２）（３）の上端の内方張出し部(６)に連結するには、上部持送り枠（７）の水平管(１３)の外端のくさび付き案内部材(１２)を内方張出し部(６)の支柱(３４)の上部内側に設けられた受け金具(３５)に差込み、くさびを押込むとともに、上部持送り枠（７）の斜め管(１５)の下端の差込み金具(１４)を支柱(３４)の下部内側に設けられた受け金具(３５) に差込むことによって果たされる。
【００２８】
下部持送り枠（８）を左右の足場（２）（３）に連結するには、下部持送り枠（８）の水平管(１３)の外端のくさび付き案内部材(１２)を足場（２）（３）の内側支柱(１８)の上部内側に設けられた受け金具(３５)に差込み、同水平管(１３)の内端にある垂直短管（１１）の連結用上端突出部（１０）を支柱(６)の下端に差込み、上部持送り枠（８）の斜め管(１５)の下端の差込み金具(１４)を支柱(１８)の下部内側に設けられた受け金具(３５) に差込むことによって果たされる。
【００２９】
左右の足場（２）（３）の４本の支柱(１８)の上端および梁枠()の長さの中間２箇所、上部持送り枠（７）および下部持送り枠（８）にある連結得上端突出部(１０)と同様の連結用上端突出部(図示略)が設けられており、これらそれぞれに垂直管(２９)が嵌め止められている。全垂直管(２９)の上端の間に両端が下方に折れ曲がっている上桟(３０)が設けられている。さらに各上桟(３０)のそれぞれ下にさX状の交叉材(３１)が設けられている。そしてX状の交叉材(３１)の下端に対応する高さにおいて、前後垂直管(２９)すべての間にまたがって作業床(３２)が配置せられ、これにより大開口部(１)の上に上足場(４)が形成せられる。
【００３０】
図４には、請求項１の発明による大開口部付き足場装置が示されており、これは、得るべき大開口部（１）の横幅の間隔をおいて配置せられかつ大開口部（１）の高さを有する左右の足場（２）（３）と、両足場（２）（３）に渡し止められた上足場（４）と、上足場（４）の下前後に取付けられた一対の梁枠（５）と、両梁枠（５）のそれぞれ左側方に配置せられかつ上足場（４）の下端前後に上内端が取付けられるともに左足場（２）の上端内側部に外側部が連結せられた持送り枠（７）とよりなるものである。左右の足場（２）（３）、上足場（４）および持送り枠（７）の詳細は、上記請求項４の発明による大開口部付き足場装置の実施するための形態において説明したのと同様である。
【００３１】
図５には、請求項２の発明による大開口部付き足場装置が示されており、これは、得るべき大開口部（１）の横幅の間隔をおいて配置せられかつ大開口部（１）の高さを有する左右の足場（２）（３）と、両足場（２）（３）に渡し止められた上足場（４）と、上足場（４）の下前後に取付けられた一対の梁枠（５）と、両梁枠（５）の左右両側部のそれぞれ側方に配置せられかつ上足場（４）の下端前後に上内端が取付けられるともに左右足場（２）（３）の上端内側部に外側部が連結せられた持送り枠（７）とよりなるものである。左右の足場（２）（３）、上足場（４）および持送り枠（７）の詳細は、上記請求項４の発明による大開口部付き足場装置の実施するための形態において説明したのと同様である。
【００３２】
図６には、請求項３の発明による大開口部付き足場装置が示されており、これは、得るべき大開口部（１）の横幅の間隔をおいて配置せられかつ大開口部（１）の高さを有する左右の足場（２）（３）と、両足場（２）（３）に渡し止められた上足場（４）と、上足場（４）の下前後に取付けられた一対の梁枠（５）と、両梁枠（５）の左側方に配置せられかつ上足場（４）の下端前後に上内端が取付けられるともに左足場（２）の上端に設けられた内方張出し部（６）の内側部に外側部が連結せられた上部持送り枠（７）と、上部持送り枠（７）の斜め外下に配置せられるともに上部持送り枠（７）が連結せられている足場（２）の内側部に外側部が連結せられた下部持送り枠（８）とよりなるものである。左右の足場（２）（３）、上足場（４）および持送り枠（７）（８）の詳細は、上記請求項４の発明による大開口部付き足場装置の実施するための形態において説明したのと同様である。
【００３３】
図７には、請求項４の発明による大開口部付き足場装置が示されており、これは、得るべき大開口部（１）の横幅の間隔をおいて配置せられかつ大開口部（１）の高さを有する左右の足場（２）（３）と、両足場（２）（３）に渡し止められた上足場（４）と、上足場（４）に取付けられた一対の梁枠（５）と、両梁枠（５）の左右両側部のそれぞれ側方に配置せられ、上足場（４）の下端前後に上内端が取付けられるともに左右の足場（２）（３）の上端に設けられた内方張出し部（６）の内側部に外側部が連結せられた上部持送り枠（７）と、上部持送り枠（７）の斜め外下に配置せられるともに上部持送り枠（７）が連結せられている足場（２）（３）の内側部に外側部が連結せられた下部持送り枠（８）とよりなるものである。上足場（４）および持送り枠（７）（８）の詳細は、上記請求項４の発明による大開口部付き足場装置の実施するための形態において説明したのと同様である。
【００３４】
図８には、請求項５の発明による大開口部付き足場装置が示されており、これは、得るべき大開口部（１）の横幅の間隔をおいて配置せられかつ大開口部（１）の高さを有する左右の足場（２）（３）と、両足場（２）（３）に渡し止められた上足場（４）と、上足場（４）の下前後に取付けられた一対の梁枠（５）と、両梁枠（５）の左側方に配置せられかつ上足場（４）の下端前後に上内端が取付けられるともに左足場（２）の上端に設けられた内方大張出し部（９）の内側部に外側部が連結せられた上部持送り枠（１０）と、上部持送り枠（１０）の斜め外下に配置せられるともに内方大張出し部（９）の下の内方小張出し部（１１）の内側部に外側部が連結せられた中間持送り枠（１２）と、両張出し部（９）（１１）が連結せられている足場（２）の内側部に外側部が連結せられた下部持送り枠（１５）とよりなるものである。上足場（４）および持送り枠（１０）（１２）（１５）の詳細は、上記請求項４の発明による大開口部付き足場装置の実施するための形態において説明したのと同様である。
【００３５】
図９には、請求項６の発明による大開口部付き足場装置が示されており、これは、得るべき大開口部（１）の横幅の間隔をおいて配置せられかつ大開口部（１）の高さを有する左右の足場（２）（３）と、両足場（２）（３）に渡し止められた上足場（４）と、上足場（４）の下前後に取付けられた一対の梁枠（５）と、両梁枠（５）の左右両側部のそれぞれ側方に配置せられかつ上足場（４）の下端前後に上内端が取付けられるともに両足場（２）の上端に設けられた内方大張出し部（９）の内側部に外側部が連結せられた上部持送り枠（１０）と、上部持送り枠（１０）の斜め外下に配置せられるともに内方大張出し部（９）の下の内方小張出し部（１１）の内側部に外側部が連結せられた中間持送り枠（１２）と、両張出し部（９）（１１）が連結せられている足場（２）（３）の内側部に外側部が連結せられた下部持送り枠（１５）とよりなるものである。上足場（４）および持送り枠（１０）（１２）（１５）の詳細は、上記請求項４の発明による大開口部付き足場装置の実施するための形態において説明したのと同様である。
【００３６】
図１０には、請求項７の発明による大開口部付き足場装置が示されており、これは、得るべき大開口部（１）の横幅の間隔をおいて配置せられかつ大開口部（１）の高さを有する左右の足場（２）（３）と、両足場（２）（３）に渡し止められた上足場（４）と、上足場（４）の中央の下前後に取付けられた一対の布材(１６)と、両布材(１６)の左右両側部のそれぞれ側方に配置せられかつ上足場（４）の下端前後に上内端が取付けられるともに両足場（２）（３）の上端に設けられた内方大張出し部（９）の内側部に外側部が連結せられた上部持送り枠（１０）と、上部持送り枠（１０）の斜め外下に配置せられるともに内方大張出し部（９）の下の内方中張出し部（１１）の内側部に外側部が連結せられた中間上部持送り枠（１２Ａ）と、中間上部持送り枠(１２Ａ)の斜め下に配置せられるとともに内方小張出し部(１４)の内側部に外側部が連結せられた中間下部持送り枠（１２Ｂ）と、３つの張出し部（９）（１１）(１４)が連結せられている足場（２）（３）の内側部に外側部が連結せられた下部持送り枠（１５）とよりなるものである。
【００３７】
上足場（４）および持送り枠（１０）（１２Ａ）（１２Ｂ）（１５）の詳細は、上記請求項４の発明による大開口部付き足場装置の実施するための形態において説明したのと同様である。
【００３８】
図１１には、請求項８の発明による大開口部付き足場装置が示されており、これは、得るべき大開口部（１）の横幅の間隔をおいて配置せられかつ大開口部（１）の高さを有する左右の足場（２）（３）と、両足場（２）（３）に渡し止められた上足場（４）と、上足場（４）の中央左右下前後に配置せられかつ上足場（４）の下端前後に上内端が取付けられるともに両足場（２）（３）の上端に設けられた内方大張出し部（９）の内側部に外側部が連結せられた上部持送り枠（１０）と、上部持送り枠（１０）の斜め外下に配置せられるともに内方大張出し部（９）の下の内方中張出し部（１１）の内側部に外側部が連結せられた中間上部持送り枠（１２Ａ）と、中間上部持送り枠(１２Ａ)の斜め下に配置せられるとともに内方小張出し部(１４)の内側に外側部が連結せられた中間下部持送り枠（１２Ｂ）と、３つの張出し部（９）（１１）(１４)が連結せられている足場（２）（３）の内側部に外側部が連結せられた下部持送り枠（１５）とよりなるものである。
【００３９】
上足場（４）および持送り枠（１０）（１２Ａ）（１２Ｂ）（１５）の詳細は、上記請求項４の発明による大開口部付き足場装置の実施するための形態において説明したのと同様である。
【００４０】
上記発明を実施する形態すべてにおいて、大開口部付き足場装置に用いられる部材には、鋼管ないし鋼管を加工したものが用いられる。
【符号の説明】
【００４１】
（１）大開口部
（２）左の足場
（３）右の足場
（４）上足場
（５）梁枠
（６）内方張出し部
（７）上部持送り枠
（８）下部持送り枠
（９）内方大張出し部
（１０）上部持送り枠
（１１）内方小張出し部
（１２）中間持送り枠
（１２Ａ）中間上部持送り枠
（１２Ｂ）中間下部持送り枠
（１４）内方小張出し部
（１５）下部持送り枠
（１６）布材
（１７）受け金具
（１８）支柱
（１９）上桟
（２０）中桟
（２１）下桟
（２２）両端が下方に折れ曲がった桟
（２３）X状の交叉材
（２４）上桟
（２５）両端が下方に折れ曲った桟
（２６）X状の交叉材
（２７）作業床
（２８）作業床
（２９）垂直管
（３０）上桟
（３１）X状の交叉材
（３２）作業床
（３４）支柱
（３５）受け金具
（３６）受け金具
（３７）連結用上端突出部
（３８）垂直短管
（３９）くさび付くさび案内部材
（４０）水平管
（４１）差込み金具
（４２）斜め管
（４３）垂直管
（４４）補強管
【要約】
【課題】重量鉄骨を取り扱うためのクレーン等を必要とすることのない丈夫な大開口部を有する足場装置を提供する。
【解決手段】大開口部付き足場装置は、得るべき大開口部の横幅の間隔をおいて配置せられかつ大開口部の高さを有する左右の足場と、両足場に渡し止められた上足場と、上足場の下前後に取付けられた一対の梁枠と、両梁枠の左右両側部のうちいずれか一側部の側方に配置せられかつ上足場の下端前後に上内端が取付けられるともに左右足場のうち一方の足場の上端内側部に外側部が連結せられた持送り枠とよりなる。
【選択図】    図１【図１】
0005978377.tif 000002
【図２】
0005978377.tif 000003
【図３】
0005978377.tif 000004
【図４】
0005978377.tif 000005
【図５】
0005978377.tif 000006
【図６】
0005978377.tif 000007
【図７】
0005978377.tif 000008
【図８】
0005978377.tif 000009
【図９】
0005978377.tif 000010
【図１０】
0005978377.tif 000011
【図１１】
0005978377.tif 000012